(57)【要約】【課題】  複数のユーザが１つのデジタルカメラを簡易に遠隔操作し得る撮影システムを提供する。【解決手段】  撮影システム２は、デジタルカメラ３と携帯電話機４とからなる。携帯電話機４は、赤外線通信により、固有のＩＤ情報を含む撮影指示信号を送信する。デジタルカメラ３において、赤外線通信部２４は携帯電話機４から送信された撮影指示信号を受信し、ＩＤ照合部２５は撮影指示信号に含まれるＩＤ情報がＩＤ登録部２６に登録されたＩＤ情報に一致するかを照合する。ＩＤ照合部２５による照合結果が一致する場合、システムコントローラ１２は、各部を制御して、ＣＣＤイメージセンサ１１から出力される撮像信号から静止画データを生成するとともに、静止画データにＩＤ情報を付加し、これをメモリカード２３に書き込む。これにより、携帯電話機４を有する複数のユーザが１つのデジタルカメラ３を簡易に遠隔操作することができる。【選択図】        図１
2006270263.tif 000002
【特許請求の範囲】
【請求項１】
固有の識別情報を含む無線信号を送信する無線送信手段を有する携帯電話機と、
撮像素子から出力される撮像信号から静止画データを生成して記録媒体に記録する静止画撮影処理を行う静止画撮影手段と、前記無線信号を受信する無線受信手段とを有するデジタルカメラとを備え、
前記静止画撮影手段は、前記無線信号として前記携帯電話機から送信される静止画撮影指示信号を前記無線送信手段が受信した場合に、前記静止画撮影処理を実行するとともに、前記静止画データに前記識別情報を付加することを特徴とする撮影システム。
【請求項２】
前記無線信号は、赤外線信号または電波信号であることを特徴とする請求項１記載の撮影システム。
【請求項３】
前記携帯電話機は、シャッタ機能を有するボタンを備えるカメラ付き携帯電話機であって、所定のモード下で前記ボタンが操作されることに応じて、前記無線信号を送信することを特徴とする請求項１または２記載の撮影システム。
【請求項４】
前記デジタルカメラは、前記識別情報を登録する登録手段と、この登録手段に登録されている識別情報と前記静止画撮影指示信号に含まれる識別情報とが一致するか否かを照合する照合手段とを備え、前記照合手段による照合結果が一致した場合に、前記静止画撮影手段が前記静止画撮影処理を実行することを特徴とする請求項１ないし３いずれか記載の撮影システム。
【請求項５】
前記静止画撮影手段は、前記照合手段による照合結果が一致した後、前記無線受信手段が所定期間内に前記静止画撮影指示信号を受信し、さらに前記照合手段による照合結果が一致した場合に、受信した前記静止画撮影指示信号の数だけ前記静止画撮影処理を連続して実行することを特徴とする請求項４記載の撮影システム。
【請求項６】
前記登録手段に登録されている前記識別情報には、前記静止画撮影処理を連続して実行する場合の優先順位が付加されていることを特徴とする請求項５記載の撮影システム。
【請求項７】
前記デジタルカメラは、前記撮像素子から出力される連続した複数フレームの撮像信号から動画データを生成して前記記録媒体に記録する動画撮影処理を行う動画撮影手段を備え、この動画撮影手段は、前記無線信号として前記携帯電話機から送信される動画撮影指示信号を前記無線送信手段が受信した場合に、前記動画撮影処理を開始または終了することを特徴とする請求項１ないし６いずれか記載の撮影システム。
【請求項８】
前記デジタルカメラは、前記動画撮影処理の実行中に前記静止画撮影指示信号を受信し、前記照合手段による照合結果が一致した場合に、この信号受信時点において前記撮像素子から出力されたフレームに、該静止画撮影指示信号に含まれる前記識別情報を設定する設定手段と、前記動画撮影処理の終了後に、前記記録媒体に記録された前記動画データから、前記識別情報が付加されたフレームを抽出して静止画データを生成する静止画生成手段とを備えたことを特徴とする請求項７記載の撮影システム。
【請求項９】
前記デジタルカメラは、前記記録媒体に記録された前記静止画データからサムネイル画像を生成するサムネイル画像生成手段と、このサムネイル画像を無線通信によって前記携帯電話機に送信する無線送信手段とを備えたことを特徴とする請求項１ないし８いずれか記載の撮影システム。
【発明の詳細な説明】
【技術分野】
【０００１】
本発明は、デジタルカメラを遠隔操作可能とした撮影システムに関する。
【背景技術】
【０００２】
ＣＣＤイメージセンサなどの撮像素子で撮像した被写体光をデジタルの画像データに変換し、内蔵メモリやメモリカードなどの記録媒体に記録するデジタルカメラが普及している。このようなデジタルカメラのなかには、リモートコントローラ（以下、リモコンという）によってシャッタレリーズを遠隔操作可能としたものが特許文献１に開示されている。また、このような遠隔操作に使用されるリモコンが特許文献２に開示されている。
【特許文献１】特開２００４−１２０３６８号公報
【特許文献２】特開２００３−２９８９０２号公報
【発明の開示】
【発明が解決しようとする課題】
【０００３】
しかしながら、上記のリモコンはデジタルカメラに対して専用に製造されるものであるため、１台のデジタルカメラを複数のユーザで共有する場合に、各ユーザに該リモコンを所有させることは、コスト的に問題がある。
【０００４】
本発明は、上記の事情を考慮してなされたものであり、複数のユーザが１つのデジタルカメラを簡易に遠隔操作し得る撮影システムを提供することを目的とする。
【課題を解決するための手段】
【０００５】
本発明の撮影システムは、固有の識別情報を含む無線信号を送信する無線送信手段を有する携帯電話機と、撮像素子から出力される撮像信号から静止画データを生成して記録媒体に記録する静止画撮影処理を行う静止画撮影手段と、前記無線信号を受信する無線受信手段とを有するデジタルカメラとを備え、前記静止画撮影手段は、前記無線信号として前記携帯電話機から送信される静止画撮影指示信号を前記無線送信手段が受信した場合に、前記静止画撮影処理を実行するとともに、前記静止画データに前記識別情報を付加することを特徴とする。
【０００６】
なお、前記無線信号は、赤外線信号または電波信号であることが好ましい。また、前記携帯電話機は、シャッタ機能を有するボタンを備えるカメラ付き携帯電話機であって、所定のモード下で前記ボタンが操作されることに応じて、前記無線信号を送信することが好ましい。
【０００７】
また、前記デジタルカメラは、前記識別情報を登録する登録手段と、この登録手段に登録されている識別情報と前記静止画撮影指示信号に含まれる識別情報とが一致するか否かを照合する照合手段とを備え、前記照合手段による照合結果が一致した場合に、前記静止画撮影手段が前記静止画撮影処理を実行することが好ましい。
【０００８】
また、前記静止画撮影手段は、前記照合手段による照合結果が一致した後、前記無線受信手段が所定期間内に前記静止画撮影指示信号を受信し、さらに前記照合手段による照合結果が一致した場合に、受信した前記静止画撮影指示信号の数だけ前記静止画撮影処理を連続して実行することが好ましい。
【０００９】
また、前記登録手段に登録されている前記識別情報には、前記静止画撮影処理を連続して実行する場合の優先順位が付加されていることが好ましい。
【００１０】
また、前記デジタルカメラは、前記撮像素子から出力される連続した複数フレームの撮像信号から動画データを生成して前記記録媒体に記録する動画撮影処理を行う動画撮影手段を備え、この動画撮影手段は、前記無線信号として前記携帯電話機から送信される動画撮影指示信号を前記無線送信手段が受信した場合に、前記動画撮影処理を開始または終了することが好ましい。
【００１１】
また、前記デジタルカメラは、前記動画撮影処理の実行中に前記静止画撮影指示信号を受信し、前記照合手段による照合結果が一致した場合に、この信号受信時点において前記撮像素子から出力されたフレームに、該静止画撮影指示信号に含まれる前記識別情報を設定する設定手段と、前記動画撮影処理の終了後に、前記記録媒体に記録された前記動画データから、前記識別情報が付加されたフレームを抽出して静止画データを生成する静止画生成手段とを備えたことが好ましい。
【００１２】
さらに、前記デジタルカメラは、前記記録媒体に記録された前記静止画データからサムネイル画像を生成するサムネイル画像生成手段と、このサムネイル画像を無線通信によって前記携帯電話機に送信する無線送信手段とを備えたことが好ましい。
【発明の効果】
【００１３】
本発明の請求項１〜３に係わる撮影システムでは、デジタルカメラは、携帯電話機から送信される静止画撮影指示信号を受信した場合に、静止画撮影処理を実行するとともに、得られる静止画データに携帯電話機の識別情報を付加するので、携帯電話機を有する複数のユーザが１つのデジタルカメラを簡易に遠隔操作することができ、また、記録媒体に記録された静止画データがどの携帯電話機の指示によって撮影されたものであるかを容易に分類することができる。
【００１４】
また、本発明の請求項４に係わる撮影システムでは、識別情報の照合結果が一致した場合に、静止画撮影処理を実行するので、デジタルカメラを遠隔操作可能とする携帯電話機を限定することができ、また、他の無線通信による誤動作を防止することができる。
【００１５】
また、本発明の請求項５，６に係わる撮影システムでは、所定期間内に識別情報が正等な複数の静止画撮影指示信号を受信した場合に、受信した前記静止画撮影指示信号の数だけ前記静止画撮影処理を連続して実行するので、複数の携帯電話機からほぼ同時に撮影指示が行われた場合にも、各携帯電話機用の静止画データを取得することができる。
【００１６】
また、本発明の請求項７に係わる撮影システムでは、デジタルカメラは、携帯電話機から送信される動画撮影指示信号を受信した場合に、動画撮影処理を開始または終了するので、携帯電話機を有する複数のユーザはデジタルカメラを遠隔操作し、静止画撮影に加えて動画撮影を実行させることができる。
【００１７】
また、本発明の請求項８に係わる撮影システムでは、動画撮影処理の実行中に識別情報が正等な静止画撮影指示信号を受信した場合に、この信号受信時点において撮像素子から出力されたフレームに識別情報を設定し、動画撮影終了後に動画データから、識別情報が付加されたフレームを抽出して静止画データを生成するので、動画撮影実行中にも携帯電話機から静止画撮影の指示を受けることができる。
【００１８】
また、本発明の請求項９に係わる撮影システムでは、記録媒体に記録された静止画データからサムネイル画像を生成し、これを無線通信によって携帯電話機に送信するので、デジタルカメラに撮影指示を行ったユーザは、携帯電話機によって撮影画像を容易に確認することができる。
【発明を実施するための最良の形態】
【００１９】
図１において、撮影システム２は、デジタルカメラ３と、デジタルカメラ３のシャッタレリーズを遠隔操作するカメラ付き携帯電話機４とから構成されている。デジタルカメラ３には、撮像レンズ１０、ＣＣＤイメージセンサ（撮像素子）１１、システムコントローラ１２、ＲＯＭ１３、ＲＡＭ１４、操作部１５、液晶表示器（ＬＣＤ）１６などが設けられている。システムコントローラ１２は、操作部１５や携帯電話機４から入力される撮影指示信号に基づき、データバス１７を介して各部の動作制御を行う。ＲＯＭ１３は、制御プログラムや各種設定データを記憶するための不揮発性メモリであり、ＲＡＭ１４は、作業用メモリである。
【００２０】
ＣＣＤイメージセンサ１１は、撮影レンズ１０を介して取り込まれた被写体光を撮像（光電変換）する。ＣＣＤイメージセンサ１１は、ＣＣＤドライバ１８から供給されるパルスに応じて、撮像信号を順次に外部出力する。アナログ信号処理部１９は、ＣＣＤイメージセンサ１１から出力された撮像信号を取り込み、相関二重サンプリング処理やゲイン調整などの所定のアナログ信号処理を施す。Ａ／Ｄコンバータ２０は、アナログ信号処理部１９から出力された撮像信号をデジタル化する。
【００２１】
静止画信号処理部２１は、Ａ／Ｄコンバータ２０から出力された撮像信号を取り込み、該撮像信号に対して、輝度・色差信号変換処理、ガンマ補正、シャープネス補正、コントラスト補正、ホワイトバランス補正などの所定の画像処理を施すとともに、所定の圧縮形式（例えばＪＰＥＧ形式）に従って圧縮処理を施すことにより静止画データを生成する。メディアコントローラ２２は、システムコントローラ１２の制御に応じて、静止画データをメモリカード（記録媒体）２３に書き込む。
【００２２】
赤外線通信部２４は、携帯電話機４との間で赤外線によるデータ通信を行い、各携帯電話機４に付与された個別のＩＤ情報（識別情報）を含む撮影指示信号を受信する。赤外線通信部２４が受信した撮影指示信号はＩＤ照合部２５に送られる。ＩＤ登録部２６には、所定の携帯電話機４のＩＤ情報が登録される。ＩＤ照合部２５は、ＩＤ登録部２６に登録されているＩＤ情報の中に、赤外線通信部２４が受信した撮影指示信号に含まれるＩＤ情報と一致するものがあるか否かを照合し、照合結果が一致する場合には、撮影指示信号をシステムコントローラ１２に送信する。
【００２３】
システムコントローラ１２は、撮影指示信号を受けると、静止画信号処理部２１を動作制御して撮影処理を実施し、得られた静止画データに該ＩＤ情報を付加する。そして、メディアコントローラ２２を制御して、該ＩＤ情報が付加された静止画データをメモリカード２３に書き込む。システムコントローラ１２、静止画信号処理部２１、およびメディアコントローラ２２は、静止画撮影手段を構成する。
【００２４】
なお、デジタルカメラ３は、操作部１５に含まれるシャッタボタンに応じて撮影動作を行う通常撮影モードと、携帯電話機４からの撮影指示信号に基づいて撮影動作を行う遠隔操作モードとを備えている。
【００２５】
携帯電話機４の構成を示す図２において、システムコントローラ３０は、操作部３１から入力される入力信号に基づいて、各部の動作制御を行う。ＲＯＭ３２は、制御プログラムや各種設定データを記憶するための不揮発性メモリであり、ＲＡＭ３３は、作業用メモリである。なお、ＲＯＭ３２には、この携帯電話機４に固有のＩＤ情報が記憶されている。
【００２６】
撮像装置（カメラ部）３４は、上記デジタルカメラ３に含まれる撮影レンズ１０、ＣＣＤイメージセンサ１１、アナログ信号処理部１９、Ａ／Ｄコンバータ２０、および静止画信号処理部２１と同等の構成を有し、被写体光を撮像（光電変換）してデジタル化された静止画データを取得する。操作部３１には、シャッタボタン３１ａが含まれ、シャッタボタン３１ａの操作により静止画データが取得される。取得された静止画データは、ＬＣＤ３５に表示される。また、ＬＣＤ３５には、電話番号などの各種情報が表示される。なお、シャッタボタン３１ａは、シャッタ機能専用のボタンである必要はなく、シャッタ機能を有するものであれば、いかなるボタンであってもよい。
【００２７】
電波通信部３６は、基地局および回線網を介して他の携帯電話機や固定電話機と電波信号（送話信号および受話信号）の送受信を行う。音声処理部３７は、電波通信部３６が受信した電波信号を電気的な音声信号に変換する。受話スピーカ３８は、この電気的な音声信号を音に変換して、外部に出力する。送話マイク３９は、話者の音声を電気的な音声信号に変換する。また、音声処理部３７は、上記とは逆に、電気的な音声信号を電波信号に変換し、電波通信部３６に出力させる。
【００２８】
赤外線通信部４０は、前述のようにデジタルカメラ３との間で赤外線によるデータ通信を行う。赤外線通信部４０は、操作部３１に所定の操作がなされたとき、ＲＯＭ３２に記憶されているＩＤ情報を含む撮影指示信号を出力する。携帯電話機４は、デジタルカメラ３を遠隔操作するための遠隔操作モードを備えており、この遠隔操作モード下で、シャッタボタン３１ａが操作されると、赤外線通信部４０から撮影指示信号が出力される。
【００２９】
なお、携帯電話機４は、撮像装置３４を備えない（カメラ付でない）携帯電話機であってもよい。この携帯電話機の場合には、シャッタボタン３１ａは設けられないので、赤外線通信に関係する特定の操作に応じて、撮影指示信号の出力を行うように構成する。
【００３０】
次に、以上のように構成された撮影システム２の動作を図３のフローチャートに基づいて説明する。まず、デジタルカメラ３を遠隔操作モードに設定すると、デジタルカメラ３は、携帯電話機４から送信される撮影指示信号を待ち受ける（ステップＳ１０１）。赤外線通信部２４が、ある１つの携帯電話機４から撮影指示信号を受信すると（ステップＳ１０１のＹｅｓ）、ＩＤ照合部２５は、該撮影指示信号に含まれるＩＤ情報がＩＤ登録部２６に登録されているＩＤ情報（登録ＩＤ）であるか否かを照合する（ステップＳ１０２）。
【００３１】
該ＩＤ情報が登録ＩＤである場合には（ステップＳ１０３のＹｅｓ）、システムコントローラ１２が各部を制御して、撮影動作を実行し（ステップＳ１０４）、該ＩＤ情報とともに静止画データをメモリカード２３に書き込む（ステップＳ１０５）。一方、該ＩＤ情報が登録ＩＤでない場合には（ステップＳ１０３のＮｏ）、ステップＳ１０１の待ち受け状態へ戻る。
【００３２】
上記第１実施形態によれば、携帯電話機４を有する複数のユーザがデジタルカメラ３を簡易に遠隔操作することができる。また、メモリカード２３に記録された静止画データには、撮影された携帯電話機４のＩＤ情報が記録されているので、各静止画データがどの携帯電話機４で撮影されたものであるかを容易に分類することができる。
【００３３】
上記第１実施形態では、ある１つの携帯電話機４から送信された１つの撮影指示信号のみを受けて撮影を行うようにしているが、本発明はこれに限定されず、複数の携帯電話機４からの複数の撮影指示信号を受け付けて撮影をおこなうようにすることも好適である。
【００３４】
以下、本発明の第１実施形態の変形例として、複数の携帯電話機４からの複数の撮影指示信号を受け付け可能とした例を図４のフローチャートに基づいて説明する。なお、図３と同一の工程については同一の符号を付しており、その詳しい説明は省略する。デジタルカメラ３が、ある１つの携帯電話機４から撮影指示信号を受信し、その撮影指示信号に含まれるＩＤ情報が登録ＩＤである場合には（ステップＳ１０３のＹｅｓ）、システムコントローラ１２は、所定期間内（例えば０．５秒以内）に、他の携帯電話機４から送信された撮影指示信号が、赤外線通信部２４によって受信されたか否かを判定する（ステップＳ２０１）。所定期間内に他の撮影指示信号が受信されなかった場合には（ステップＳ２０１のＮｏ）、撮影動作を一度だけ実行し（ステップＳ１０４）、該ＩＤ情報とともに静止画データをメモリカード２３に書き込む（ステップＳ１０５）。
【００３５】
一方、所定期間内に他の撮影指示信号が受信された場合には（ステップＳ２０１のＹｅｓ）、ＩＤ照合部２５は、受信した各撮影指示信号に含まれるＩＤ情報が登録ＩＤであるか否かを照合し（ステップＳ２０２）、いずれのＩＤ情報も登録ＩＤでない場合には（ステップＳ２０３のＮｏ）、ステップＳ１０４に移行し、上記と同様な撮影動作を一度だけ実行する。一方、登録ＩＤが存在する場合には（ステップＳ２０３のＹｅｓ）、ステップＳ１０２で検出した登録ＩＤと、ステップＳ２０２で検出した登録ＩＤとを合わせ、優先順位を決定する（ステップＳ２０４）。この優先順位の決定は、ＩＤ登録部２６内の登録ＩＤに予め優先順位を付与することにより行う。
【００３６】
この後、上記優先順位に従って、受信した撮影指示信号の数だけ連続して撮影を行う（ステップＳ２０５〜Ｓ２０７）。このとき、ステップＳ２０６では、受信した各撮影指示信号に含まれるＩＤ情報を、各撮影が行われるごとに、優先順位の高いものから順に各静止画データに付加する。
【００３７】
この変形例によれば、１つのデジタルカメラ３に対して複数の携帯電話機４からほぼ同時に撮影指示信号が送信された場合にも、デジタルカメラ３は撮影を行うことができ、各携帯電話機４用の静止画データをそれぞれ生成することができる。
【００３８】
上記第１実施形態では、デジタルカメラ３が静止画撮影を行う場合を例に挙げて説明しているが、本発明はこれに限定されず、静止画撮影に加えて動画撮影を可能とするデジタルカメラにも本発明を適用することができる。
【００３９】
図５において、本発明第２実施形態の撮影システム５０は、静止画撮影および動画撮影を可能とするデジタルカメラ５１と、カメラ付き携帯電話機４とからなる。デジタルカメラ５１は、動画信号処理部５２、ＩＤ設定部５３、および静止画生成部５４を備えるほかは基本的に図１に示すデジタルカメラ３と同一の構成である。なお、図１と同一部分については同一の符号を付しており、その詳しい説明は省略する。
【００４０】
デジタルカメラ５１は動画撮影モードを備え、動画信号処理部５２は、動画撮影モード時においてＡ／Ｄコンバータ２０から順に出力される複数フレームの撮像信号に所定の画像処理を施し、複数フレームからなる動画データを生成する。このフレームの画素数は、静止画撮影時のフレームの画素数と同一とする。なお、システムコントローラ１２、動画信号処理部５２、およびメディアコントローラ２２は、動画撮影手段を構成する。
【００４１】
ＩＤ設定部５３は、後述するように動画撮影中に静止画撮影のあった時点においてＣＣＤイメージセンサ１１から出力されるフレームにＩＤ情報を設定（付加）する。静止画生成部５４は、動画撮影終了後に、動画データからＩＤ情報が設定されたフレームを切出し（抽出し）、静止画データを作成する。
【００４２】
なお、携帯電話機４は、遠隔操作モードにおいて、デジタルカメラ５１に静止画撮影を実行させる静止画撮影指示信号Ｓと、デジタルカメラ５１に動画撮影の開始／終了を実行させる動画撮影指示信号Ｍとを送信することができる。デジタルカメラ５１は、遠隔操作モードにおいて、動画撮影指示信号Ｍを受信すると動画撮影を開始し、再度、動画撮影指示信号Ｍを受信すると動画撮影を終了する。
【００４３】
撮影システム５０の動作を図６のフローチャートに基づいて説明する。まず、デジタルカメラ５１を動画モード下の遠隔操作モードに設定すると、デジタルカメラ５１は、携帯電話機４から送信される動画撮影指示信号Ｍを待ち受ける（ステップＳ３０１）。赤外線通信部２４が、ある１つの携帯電話機４から動画撮影指示信号Ｍを受信すると（ステップＳ３０１のＹｅｓ）、ＩＤ照合部２５は、該動画撮影指示信号Ｍに含まれるＩＤ情報がＩＤ登録部２６に登録されているＩＤ情報（登録ＩＤ）であるか否かを照合する（ステップＳ３０２）。
【００４４】
該ＩＤ情報が登録ＩＤである場合には（ステップＳ３０３のＹｅｓ）、システムコントローラ１２が各部を制御して、動画撮影を開始する（ステップＳ３０４）。次いで、デジタルカメラ５１は、動画撮影を実行するとともに、携帯電話機４から送信される静止画撮影指示信号Ｓを待ち受ける（ステップＳ３０５）。赤外線通信部２４が、ある１つの携帯電話機４から静止画撮影指示信号Ｓを受信すると（ステップＳ３０５のＹｅｓ）、ＩＤ照合部２５は、該静止画撮影指示信号Ｓに含まれるＩＤ情報がＩＤ登録部２６に登録されているＩＤ情報（登録ＩＤ）であるか否かを照合する（ステップＳ３０６）。
【００４５】
該ＩＤ情報が登録ＩＤである場合には（ステップＳ３０７のＹｅｓ）、ＩＤ設定部５３は、その時点でＣＣＤイメージセンサ１１から出力されるフレームに該ＩＤ情報を記録する（ステップＳ３０８）。この後、ステップＳ３０５において、静止画撮影指示信号Ｓを受信するたびにステップＳ３０６〜Ｓ３０８を実行し、赤外線通信部２４が再び動画撮影指示信号Ｍを受信した場合には（ステップＳ３０９のＹｅｓ）、システムコントローラ１２が各部を制御して、動画撮影が終了し（ステップＳ３１０）、動画撮影の開始／終了を指示する動画撮影指示信号Ｍが送信された携帯電話機４のＩＤ情報とともに、動画信号処理部５２によって生成された動画データをメモリカード２３に書き込む（ステップＳ３１１）。
【００４６】
そして、静止画生成部５４が、メモリカード２３に記録された動画データから、ＩＤ情報が記録されているフレームを切出して静止画データを生成し（ステップＳ３１２）、これをＩＤ情報とともにメモリカード２３に記録する（ステップＳ３１３）。
【００４７】
上記第２実施形態によれば、携帯電話機４を利用してデジタルカメラ５１の動画撮影の開始／終了を遠隔操作することができる。また、動画撮影実行中にも静止画撮影の指示を受け付け、動画撮影終了後に動画データから静止画データを作成することで、静止画撮影の指示に対応することができる。
【００４８】
なお、上記第１および第２実施形態では、デジタルカメラ３，５１の赤外線通信部２４は、携帯電話機４から送信される撮影指示信号を受信するものとしているが、赤外線通信部２４を介して画像データを携帯電話機４に送信することも好適である。例えば、図７に示すように、撮影によって得られた静止画データからサムネイル画像（確認用の縮小画像）を作成するサムネイル画像作成部６０を第１実施形態のデジタルカメラ３に設け、撮影終了後に、サムネイル画像作成部６０によって作成されたサムネイル画像を自動的に携帯電話機４へ送信するようにしてもよい。サムネイル画像には作成元の静止画データに含まれるＩＤ情報が付与されており、このＩＤ情報に一致する携帯電話機４のみがこのサムネイル画像を受信することができる。同様に、サムネイル画像作成部６０を第２実施形態のデジタルカメラに設けてもよい。
【００４９】
また、上記第１および第２実施形態では、デジタルカメラ３，５１の赤外線通信部２４と、携帯電話機４の赤外線通信部４０との間での赤外線通信によってデータ送受信を行うようにしたが、本発明はこれに限定されず、デジタルカメラ３，５１に電波通信部を設け、マイクロ波などを用いた電波通信によって携帯電話機４との間でデータ通信を行うようにしてもよい。また、デジタルカメラ３，５１と携帯電話機４との間のデータ通信には、他のいかなる種類の無線通信手段による無線信号を用いることも可能である。
【図面の簡単な説明】
【００５０】
【図１】本発明の第１実施形態に係わるデジタルカメラの電気構成を示すブロック図である。
【図２】本発明の第１実施形態に係わるカメラ付き携帯電話機の電気構成を示すブロック図である。
【図３】本発明の第１実施形態に係わる撮影システムの動作を説明するフローチャートである。
【図４】複数の撮影指示信号を受け付け可能とした例を説明するフローチャートである。
【図５】静止画撮影および動画撮影を可能とする本発明の第２実施形態に係わるデジタルカメラの電気構成を示すブロック図である。
【図６】本発明の第２実施形態に係わる撮影システムの動作を説明するフローチャートである。
【図７】サムネイル画像作成部を設けた例を示すブロック図である。
【符号の説明】
【００５１】
２，５０  撮影システム
３，５１  デジタルカメラ
４  携帯電話機
１１  イメージセンサ
１２  システムコントローラ
２１  静止画信号処理部
２３  メモリカード
２４  赤外線通信部
２５  ＩＤ照合部
２６  ＩＤ登録部
３０  システムコントローラ
３１  操作部
３１ａ  シャッタボタン
４０  赤外線通信部
５２  動画信号処理部
５３  ＩＤ設定部
５４  静止画生成部
６０  サムネイル画像作成部
【図１】
2006270263.tif 000003
【図２】
2006270263.tif 000004
【図３】
2006270263.tif 000005
【図４】
2006270263.tif 000006
【図５】
2006270263.tif 000007
【図６】
2006270263.tif 000008
【図７】
2006270263.tif 000009